(57)【要約】  計測されることになる荷重が、荷重計の球状の上面に直接加えられ、荷重計の力導入部の溝を、荷重を加えられる設備の構造における溝に係止する係止部材を伴う、荷重計持ち上がり防止デバイス。【選択図】図３
2020536239.tif 000002
【特許請求の範囲】
【請求項１】
荷重計の中心軸の方向で軸方向荷重を計測するよう構成された、荷重計アセンブリであって、
−第１の端部及び第２の端部を有する、荷重計本体と、
−荷重を加えられる設備の荷重を、前記荷重計本体に、前記荷重計の前記中心軸と同軸方向に移すよう構成された、荷重伝達部材と、
−前記荷重計本体の前記第１の端部を、ベースに確実に装着するよう構成された、第１の接続装置と、
−前記荷重計の前記第２の端部を、前記荷重伝達部材に装着するよう構成された、第２の接続装置と
を備え、
−前記荷重伝達部材は第１の連結部材を備え、前記荷重計は第２の連結部材を備え、前記第１の連結部材及び前記第２の連結部材は、前記荷重伝達部材を前記荷重計の前記第２の端部にしっかりと固定するよう構成され、
−前記第１の連結部材及び前記第２の連結部材は、前記第１の連結部材と前記第２の連結部材との間に余裕／幅を提供するよう構成され、前記荷重伝達部材が、前記荷重計の前記中心軸に対して、ある角度で傾くのを可能にすることを特徴とする、荷重計アセンブリ。
【請求項２】
前記荷重伝達部材と接触し得る前記荷重計の前記第２の端部は、球状である、請求項１に記載の荷重計アセンブリ。
【請求項３】
前記荷重計と接触し得る前記伝達部材の接触面は、球状面を有し得る、請求項１または２に記載の荷重計アセンブリ。
【請求項４】
前記第１の連結部材及び第２の連結部材は、係止部材を介して互いに連結される、対向する溝である、請求項１または２に記載の荷重計アセンブリ。
【請求項５】
前記係止部材は、前記対向する溝と係合する、カム、軸受ボール、球体部材、球体ボール、及びボルトであり得る、請求項４に記載の荷重計アセンブリ。
【請求項６】
前記溝の高さは、前記係止部材の高さよりも大きい、請求項４または５に記載の荷重計アセンブリ。
【請求項７】
前記溝は、実質的に矩形の断面であり、円筒形断面を有する前記係止部材に適合される、請求項４〜６のうちいずれか一項に記載の荷重計アセンブリ。
【発明の詳細な説明】
【技術分野】
【０００１】
本発明は、荷重計に負の荷重が作用する逆動作条件下でも、荷重と荷重計との間の接続を確実に保証するためのデバイスに関する。
【０００２】
より具体的には、本発明は、荷重計がサイロ、混合機械などにおいて計量のために使用される設備、及び、荷重を加えられる設備が偶発的に傾くか、または転倒する危険がある設備に関する。
【０００３】
これらの状況は、荷重を加えられる設備が、車両によって衝突されるか、または強風もしくは地震の場合に確認される。
【０００４】
人に対する明確な危険以外に、荷重を加えられる設備が傾くか、または地面に倒れた場合に、高い費用がかかる恐れも存在する。
【背景技術】
【０００５】
図１は、傾きに対して計量設備をしっかりと固定するために一般的に使用される方法であり、ここで、１は荷重計、２はコンクリート面、３は荷重導入部、及び４は荷重を加えられる設備の構造部分である。コンクリート面２に固定された２本のボルトは、梁７の２つの穴６を貫通し、この梁は構造部材４に溶接される。ナット８は、荷重を加えられる設備が荷重計１から持ち上がらないよう、しっかりと固定する。この一般的に使用される計量ソリューションの精度は、梁７がボルト５にもナット８にも接触しないということに、全面的に依拠する。これらの条件は、計量システムの設置によって、及びその後の使用において、実際には破られることが多い。この明確な課題の他にも、長いボルトを伴うこのソリューションは、例えば地震時に確認される強い水平力に対して安定しない。
【０００６】
別の一般的なソリューションは、荷重を加えられる設備を、荷重計の上面に取り付けられた１つまたは複数のボルトによってしっかりと固定することであるが、このソリューションは、一定の寄生力を荷重計に導入し、精度を低下させる。
【発明の概要】
【発明が解決しようとする課題】
【０００７】
本発明の目的は、荷重計と共に動作可能で、負の力を荷重計に移すことができ、かつ同時に計量の高い精度を伴う簡易な設備を保証する、荷重を加えられる設備を提供することである。
【課題を解決するための手段】
【０００８】
本発明によると、この目的は、荷重を加えられる設備を、係止部材を用いて荷重計に係止することによって実現される。これらの係止部材は、確実な機能を確保し、かつ寄生力を荷重計に導入しない。
【図面の簡単な説明】
【０００９】
【図１】傾きに対して計量設備をしっかりと固定するために一般的に使用される方法を示す図である。
【図２】本発明の荷重計の持ち上がり防止デバイスの第一実施形態の図である。
【図３】本発明の荷重計の持ち上がり防止デバイスの第二実施形態の図である。
【図４】本発明の荷重計の持ち上がり防止デバイスの第三実施形態の図である。
【図５】溝１４及び１５の中に嵌合する高さの円筒形ローラの形状の係止部材を示す図である。
【図６】溝１４及び１５の中に嵌合する高さを有し、かつそれぞれ溝１５及び１４に嵌合する内径及び外径を有する係止部材を示す図である。
【図７】荷重計アセンブリの断面を示す図である。
【発明を実施するための形態】
【００１０】
図２に示される本発明の実施形態において、荷重計１は、リングまたはプレート１０をしっかりと固定するボルト９によって、表面２に締付けられる。荷重を加えられる設備の構造部分４は、荷重計１の力導入部１２の球状の上面１１に載る。係止部材１３は、部分４の溝１４及び力導入部１２の溝１５に位置付けられる。
【００１１】
可能であれば球状ボールとして示される係止部材１３は、部分４における開口部１６を介して溝１４及び１５の中に導入される。これらの溝は、好ましくは完全に係止部材に満たされ、考えられる最も大きい荷重は、重要な状況において荷重計の持ち上がり防止デバイスによって、確実に吸収され得る。開口部１６は、好ましくはネジによって閉じられ、別の開口部１６は、好ましくは、荷重計設備の整備を実行するときに、係止部材１３を後で容易に取り外せるよう設けられる。係止部材１３は、好ましくは、より容易な取り外しのために磁気を帯びる。
【００１２】
図３に示される本発明の実施形態において、溝１４及び／または可能であれば溝１５の高さは、係止部材１３の高さもしくは径よりも高い。これによって、荷重計に加えられた荷重が力導入部１２の球面１１の上にシフトされる際に、寄生的な曲げモーメントを荷重計に導入することなく、部分４が、ある角度に傾くのを可能にする。
【００１３】
持ち上がり防止部からの任意の干渉を受けることなく、荷重が球面１１に加えられることは、高い精度の計量のための必要条件である。
【００１４】
図４に示した本発明の実施形態において、係止部材１３は、実質的に矩形の溝１４及び１５の中に嵌合する係止部材として示され、これらの溝は、係止部材１３と同じか、好ましくはより大きい高さを有し得る。
【００１５】
図５は、溝１４及び１５の中に嵌合する高さの円筒形ローラの形状の係止部材を示し、図６は、溝１４及び１５の中に嵌合する高さを有し、かつそれぞれ溝１５及び１４に嵌合する内径及び外径を有する係止部材を示す。
【００１６】
本発明のこれらの実施形態は、球状ボールよりも大きい荷重を吸収することができる。
【００１７】
図７は、荷重計アセンブリの断面を示し、荷重計１の第１の端部はベース２に装着されてよく（図示せず）、荷重計には、第２の端部である力導入部１２が設けられ、荷重伝達部材４から荷重を受け取るよう構成される。荷重伝達部材には、荷重の第２の端部の外径よりも大きいサイズを有する凹部１７が設けられ、それによって第２の端部１２は、荷重伝達部材の凹部の中に導入され得る。
【００１８】
第２の端部１２の周縁部には、１つまたは複数の溝が設けられてよく、それらの溝は、中間連結要素１３を受け入れるよう適合されてよく、この中間連結要素は、凹部１７の側壁に係止される。連結要素１３は、径方向に動くよう適合されてよく、それによって、荷重伝達部材を荷重計に設置する前に、連結要素は引っ込んで凹部の側壁が荷重計の第２の端部を覆って滑るのを可能にする。凹部が第２の端部を覆って位置付けられたとき、係止スリーブ１８を利用して連結部材１３を径方向内側に押圧し、荷重伝達部材が荷重計から外れるのを防止するために、連結部材が溝に係合するのを可能にする。すなわち、連結部材の内径は、係合したときに溝の外径よりも小さく、それによって、荷重伝達部材が荷重計１から離れる方向に引っ張られた場合に、溝の上縁部は連結要素１３と係合する。
【００１９】
これらの溝は、連結要素の垂直方向寸法よりも大きい垂直方向寸法を有するよう構成され、連結要素が、溝の下縁部と溝の上縁部との間の動きの余裕（幅）を有するのを可能にする。
【００２０】
動きの余裕をもたらすことによって、荷重伝達部材４は、連結部材が溝の上縁部と係合することなく、垂直軸（荷重計の中心軸）から離れるように傾くのを可能にする。すなわち、連結要素は、溝に係合することなく溝内で垂直方向に動き得る。これは、荷重伝達部材の角度が付いた動きが、垂直方向以外の方向の力など、いかなる干渉する力も荷重計の中に移さないことを保証する。したがって、荷重伝達部材が傾く動きをもたらす力は、荷重計の第２の端部に影響を与えず、荷重伝達部材に加えられた寄生力は、確実に荷重計から分離される。
【００２１】
荷重伝達部材と荷重計の第２の端部との間における、荷重計に向かう方向の装着は、荷重計の接触面と荷重伝達部材の接触面との間で保証され、そのため、荷重計で計測されることになる、荷重伝達部材に加えられた荷重は、荷重計に直接伝達される。しかし、反対方向の装着は、連結要素によってしっかりと固定され、荷重計と荷重伝達部材との間における上向きの方向（荷重計から離れる垂直方向）の動きのいくらかの余地、ならびに荷重計に対する荷重伝達部材の傾く動き、を可能にする。
【００２２】
アイテム
１．計測されることになる荷重が、荷重計の球状の上面に直接加えられる、荷重計持ち上がり防止デバイスであって、係止部材が、荷重計の力導入部の溝を、荷重を加えられる設備の構造における溝に係止することを特徴とする、荷重計持ち上がり防止デバイス。
２．溝は、係止部材としての球状ボールに適合される、アイテム１に記載の荷重計持ち上がり防止デバイス。
３．溝は、傾きを許容する高さである、アイテム２に記載の荷重計持ち上がり防止デバイス。
４．溝は、実質的に矩形で、円筒形断面を有する係止部材に適合する、アイテム１に記載の荷重計持ち上がり防止デバイス。
【図１】
2020536239.tif 000003
【図２】
2020536239.tif 000004
【図３】
2020536239.tif 000005
【図４】
2020536239.tif 000006
【図５】
2020536239.tif 000007
【図６】
2020536239.tif 000008
【図７】
2020536239.tif 000009
【国際調査報告】
2020536239.tif 000010
2020536239.tif 000011
2020536239.tif 000012